(57)【要約】【課題】ホーム機器毎に複雑な通信設定を行うことなく、ホーム機器で発生したイベントを所望の方法でユーザ端末に通知する。【解決手段】ホームゲートウェイ８は、ホーム機器９から状態通知データ受信し、当該ホーム機器のホーム機器識別情報およびクラスを特定し、状態通知データに基づいてノーティファイ中継種別および送信データを生成して、これらを含む中継データをＨＮＷ運用サーバ６に送信し、ＨＮＷ運用サーバ６は、中継データのホーム機器識別情報およびクラスとノーティファイ中継種別とに対応するＨＳＰサーバ３をデータベース５を参照して特定し、特定したＨＳＰサーバ３に送信データを送信し、ＨＳＰサーバ３は、ユーザ端末１に所定の方法でホーム機器９に送信データを通知する。【選択図】図１
2010288154.tif 000002
【特許請求の範囲】
【請求項１】
ホーム機器で発生したイベントを通知する通信システムであって、
前記通信システムは、ホーム機器が接続されるホームゲートウェイと、ホームネットワーク運用サーバと、ホームサービスプロバイダサーバと、を有し、
前記ホームゲートウェイは、
ホーム機器から状態通知データ受信し、当該ホーム機器のアドレスに対応するホーム機器識別情報およびホーム機器識別クラスを特定する特定手段と、
前記状態通知データのヘッダ情報に基づいてノーティファイ中継種別を生成するとともに、前記状態通知データのデータ部に基づいて送信データを生成する生成手段と、
前記特定したホーム機器識別情報およびホーム機器識別クラスと、前記ノーティファイ中継種別と、前記送信データとを含む中継データを前記ホームネットワーク運用サーバに送信する送信手段と、を有し、
前記ホームネットワーク運用サーバは、
前記中継データのホーム機器識別情報、ホーム機器識別クラスおよびノーティファイ中継種別に対応するホームサービスプロバイダサーバを、当該ホームネットワーク運用サーバが備えるデータベースを参照して特定する特定手段と、
前記特定したホームサービスプロバイダサーバに、前記送信データを送信する送信手段と、を有し、
前記ホームサービスプロバイダサーバは、
前記状態通知データ送信したホーム機器を使用するユーザのユーザ端末に、電子メールの送信、Ｗｅｂページでの表示、ショートメッセージの送信、音声通知、ＦＡＸ送信の少なくとも１の方法で、前記ホーム機器にイベントが発生したことまたは前記送信データを通知する通知手段を有すること
を特徴とする通信システム。
【請求項２】
請求項１記載の通信システムであって、
前記ホームサービスプロバイダサーバは、
ホーム機器毎に、電子メールでの通知を行うか否かを設定した記憶手段を、さらに有し、
前記通知手段は、前記記憶手段を参照し、電子メールでの通知を行う場合、前記ホーム機器にイベントが発生したことまたは前記送信データを電子メールで通知すること
を特徴とする通信システム。
【請求項３】
請求項１または請求項２記載の通信システムであって、
前記ホームサービスプロバイダサーバは、
前記ホームネットワーク運用サーバから受信した前記送信データを、データベースに登録する登録手段をさらに有し、
前記通知手段は、前記データベースから前記送信データを抽出し、抽出した送信データを含むＷｅｂページを生成すること
を特徴とする通信システム。
【請求項４】
ホーム機器で発生したイベントを通知する通信方法であって、
ホームゲートウェイは、
ホーム機器から状態通知データ受信し、当該ホーム機器のアドレスに対応するホーム機器識別情報およびホーム機器識別クラスを特定する特定ステップと、
前記状態通知データのヘッダ情報に基づいてノーティファイ中継種別を生成するとともに、前記状態通知データのデータ部に基づいて送信データを生成する生成ステップと、
前記特定したホーム機器識別情報およびホーム機器識別クラスと、前記ノーティファイ中継種別と、前記送信データとを含む中継データをホームネットワーク運用サーバに送信する送信するステップと、を行い、
ホームネットワーク運用サーバは、
前記中継データのホーム機器識別情報、ホーム機器識別クラスおよびノーティファイ中継種別に対応するホームサービスプロバイダサーバを、当該ホームネットワーク運用サーバが備えるデータベースを参照して特定する特定ステップと、
前記特定したホームサービスプロバイダサーバに、前記送信データを送信する送信ステップと、を行い、
ホームサービスプロバイダサーバは、
前記状態通知データ送信したホーム機器を使用するユーザのユーザ端末に、電子メールの送信、Ｗｅｂページでの表示、ショートメッセージの送信、音声通知、ＦＡＸ送信の少なくとも１の方法で、前記ホーム機器にイベントが発生したことまたは前記送信データを通知する通知ステップを行うこと
を特徴とする通信方法。
【請求項５】
請求項４記載の通信方法であって、
前記ホームサービスプロバイダサーバは、
ホーム機器毎に、電子メールでの通知を行うか否かを設定した記憶部を有し、
前記通知ステップは、前記記憶部を参照し、電子メールでの通知を行う場合、前記ホーム機器にイベントが発生したことまたは前記送信データを電子メールで通知すること
を特徴とする通信方法。
【請求項６】
請求項４または請求項５記載の通信方法であって、
前記ホームサービスプロバイダサーバは、
前記ホームネットワーク運用サーバから受信した前記送信データを、データベースに登録する登録ステップをさらに行い、
前記通知ステップは、前記データベースから前記送信データを抽出し、抽出した送信データを含むＷｅｂページを生成すること
を特徴とする通信方法。
【請求項７】
請求項１から請求項３のいずれか１項に記載の通信システムとして、コンピュータに機能させる通信プログラム。
【請求項８】
請求項７記載の通信プログラムを記録したコンピュータ読み取り可能な記録媒体。
【発明の詳細な説明】
【技術分野】
【０００１】
本発明は、ホームネットワーク内のホーム機器で発生したイベントを通知する通信システム、通信方法、通信プログラム、および通信プログラムを記録した記録媒体に関する。
【背景技術】
【０００２】
近年、家庭内のセンサや家電等のホーム機器をネットワークに接続し、外出先からこれらのホーム機器を制御したり、これらのホーム機器からの通知を受け取るサービスが提供されている。
【０００３】
例えば、非特許文献１には、ドアホンの呼出ボタンが押された時の画像がサーバに保存され、携帯電話にメールで送信するサービスが記載されている。また、非特許文献２には、ネットワークカメラの画像をインターネット経由でパソコンや携帯電話からモニタリング可能なサービスが記載されている。
【先行技術文献】
【非特許文献】
【０００４】
【非特許文献１】“みえますねっとＬｉｔｅ”、［online］、［平成２１年５月７日検索］、インターネット＜URL: http://panasonic.co.jp/pns/miemasunet/lite/summary/＞
【非特許文献２】“みえますねっと”、［online］、［平成２１年５月７日検索］、インターネット＜URL: http://panasonic.co.jp/pns/miemasunet/mnet/summary/＞
【発明の概要】
【発明が解決しようとする課題】
【０００５】
通常、ホームネットワークサービスを利用するためには、ブロードバンドルータに宅外からホーム機器にアクセスするための通信設定を行う必要がある。しかしながら、そのような通信設定は、煩雑で容易ではなく、ネットワークに関する専門知識がない一般ユーザにとって、サービス利用の障害となっている。
【０００６】
また、宅外からホーム機器へアクセスするための仕様は、メーカー毎（またはホーム機器毎）に異なっているため、利用方法自体も煩雑である。
【０００７】
また、複数のホーム機器が、それぞれメールで通知する機能を有する場合には、複数のホーム機器のそれぞれにメールアドレスを設定する必要がある。一方、ホーム機器にメールで通知する機能がない場合は、ユーザはメールでの通知を受け取ることができない。
【０００８】
本発明は上記事情に鑑みてなされたものであり、本発明の目的は、ホーム機器毎に複雑な通信設定を行うことなく、ホーム機器で発生したイベントを所望の方法でユーザ端末に通知し、ユーザの利便性をより向上することにある。
【課題を解決するための手段】
【０００９】
本発明は、ホーム機器で発生したイベントを通知する通信システムであって、前記通信システムは、ホーム機器が接続されるホームゲートウェイと、ホームネットワーク運用サーバと、ホームサービスプロバイダサーバと、を有し、前記ホームゲートウェイは、ホーム機器から状態通知データ受信し、当該ホーム機器のアドレスに対応するホーム機器識別情報およびホーム機器識別クラスを特定する特定手段と、前記状態通知データのヘッダ情報に基づいてノーティファイ中継種別を生成するとともに、前記状態通知データのデータ部に基づいて送信データを生成する生成手段と、前記特定したホーム機器識別情報およびホーム機器識別クラスと、前記ノーティファイ中継種別と、前記送信データとを含む中継データを前記ホームネットワーク運用サーバに送信する送信手段と、を有し、前記ホームネットワーク運用サーバは、前記中継データのホーム機器識別情報、ホーム機器識別クラスおよびノーティファイ中継種別に対応するホームサービスプロバイダサーバを、当該ホームネットワーク運用サーバが備えるデータベースを参照して特定する特定手段と、前記特定したホームサービスプロバイダサーバに、前記送信データを送信する送信手段と、を有し、前記ホームサービスプロバイダサーバは、前記状態通知データ送信したホーム機器を使用するユーザのユーザ端末に、電子メールの送信、Ｗｅｂページでの表示、ショートメッセージの送信、音声通知、ＦＡＸ送信の少なくとも１の方法で、前記ホーム機器にイベントが発生したことまたは前記送信データを通知する通知手段を有する。
【００１０】
また、本発明は、ホーム機器で発生したイベントを通知する通信方法であって、ホームゲートウェイは、ホーム機器から状態通知データ受信し、当該ホーム機器のアドレスに対応するホーム機器識別情報およびホーム機器識別クラスを特定する特定ステップと、前記状態通知データのヘッダ情報に基づいてノーティファイ中継種別を生成するとともに、前記状態通知データのデータ部に基づいて送信データを生成する生成ステップと、前記特定したホーム機器識別情報およびホーム機器識別クラスと、前記ノーティファイ中継種別と、前記送信データとを含む中継データをホームネットワーク運用サーバに送信する送信するステップと、を行い、ホームネットワーク運用サーバは、前記中継データのホーム機器識別情報、ホーム機器識別クラスおよびノーティファイ中継種別に対応するホームサービスプロバイダサーバを、当該ホームネットワーク運用サーバが備えるデータベースを参照して特定する特定ステップと、前記特定したホームサービスプロバイダサーバに、前記送信データを送信する送信ステップと、を行い、ホームサービスプロバイダサーバは、前記状態通知データ送信したホーム機器を使用するユーザのユーザ端末に、電子メールの送信、Ｗｅｂページでの表示、ショートメッセージの送信、音声通知、ＦＡＸ送信の少なくとも１の方法で、前記ホーム機器にイベントが発生したことまたは前記送信データを通知する通知ステップを行う。
【００１１】
また、本発明は、上記通信システムとして、コンピュータに機能させる通信プログラムである。
【００１２】
また、本発明は、上記通信プログラムを記録したコンピュータ読み取り可能な記録媒体である。
【発明の効果】
【００１３】
本発明によれば、ホーム機器毎に複雑な通信設定を行うことなく、ホーム機器で発生したイベントを所望の方法でユーザ端末に通知し、ユーザの利便性をより向上することができる。
【図面の簡単な説明】
【００１４】
【図１】本発明の実施形態に係る通信システムの全体構成図である。
【図２】中継管理テーブルの一例を示す図である。
【図３】アクセスコントロール情報の一例を示す図。
【図４】本実施形態の処理を示すフローチャートである。
【発明を実施するための形態】
【００１５】
以下、本発明の実施形態について説明する。
【００１６】
図１は、本発明の実施形態に係る通信システムの一例を示す図である。本実施形態の通信システムは、宅内に設置された少なくとも１つのホーム機器９と、ホームゲートウェイ８と、マージテーブル７とを有する。
【００１７】
また、本実施形態の通信システムは、ホームゲートウェイ８と接続されるホームネットワーク運用サーバ（以下、「ＨＮＷ運用サーバ」）６と、データベース５と、汎用ホームサービスプロバイダサーバ（以下、「汎用ＨＳＰサーバ」）３と、一般ホームサービスプロバイダサーバ（以下、「一般ＨＳＰサーバ４」と、汎用ＨＳＰサーバ３に接続されるユーザ端末１と、一般ＨＳＰサーバ４に接続されるユーザ端末２とを有する。
【００１８】
なお、汎用ＨＳＰサーバ３は、ＨＮＷ運用サーバ６を運用している事業者が構築するＨＳＰサーバであり、一般ＨＳＰサーバ４は、サービス提供事業者が構築するＨＳＰサーバである。また、汎用ＨＳＰサーバ３および一般ＨＳＰサーバ４は、それぞれ複数存在してもよい。本実施形態では、図１に示すように、３つの汎用ＨＳＰサーバ３（ＨＳＰ−１、ＨＳＰ−２、ＨＳＰ−３）と、１つの一般ＨＳＰサーバ４（ＨＳＰ−４）とを有するものとする。ＨＮＷ運用サーバ６に接続されるデータベース５には、後述する中継管理テーブルおよびＡＣＬ情報テーブルとが記憶されている。
【００１９】
また、ホームゲートウェイ８、ＨＮＷ運用サーバ６および汎用ＨＳＰサーバ３の間は、例えばＶＰＮ（Virtual Private Network）などのセキュアなネットワークを介して接続されているものとする。
【００２０】
上記ホームゲートウェイ８、ＨＮＷ運用サーバ６、汎用ＨＳＰサーバ３および一般ＨＳＰサーバ４は、例えば、ＣＰＵと、メモリと、ＨＤＤ等の外部記憶装置と、入力装置と、出力装置とを備えた汎用的なコンピュータシステムを用いることができる。このコンピュータシステムにおいて、ＣＰＵがメモリ上にロードされた所定のプログラムを実行することにより、各装置の各機能が実現される。
【００２１】
例えば、ホームゲートウェイ８、ＨＮＷ運用サーバ６、汎用ＨＳＰサーバ３および一般ＨＳＰサーバ４の各機能は、ホームゲートウェイ８用のプログラムの場合はホームゲートウェイ８のＣＰＵが、ＨＮＷ運用サーバ６用のプログラムの場合はＨＮＷ運用サーバ６のＣＰＵが、汎用ＨＳＰサーバ３用のプログラムの場合は汎用ＨＳＰサーバ３のＣＰＵが、そして、一般ＨＳＰサーバ４用のプログラムの場合は一般ＨＳＰサーバ４のＣＰＵがそれぞれ実行することにより実現される。なお、入力装置および出力装置は、各装置が必要に応じて備えるものとする。
【００２２】
次に、図１を用いて本実施形態の処理の流れを説明する。
【００２３】
まず、ホーム機器９は、自ホーム機器の状態の変化を監視し、状態変化を検知した場合に、変化した状態を通知する状態通知データをホームゲートウェイ８に送信する。例えば、ホーム機器９がドアホンの場合、ドアホンが押されたこと、または訪問者を録画したデータ等を状態通知データ（パケット）として、ホームゲートウェイ８に送信する（Ａ）。
【００２４】
なお、ホーム機器９は、ＩＰプロトコルを用いて通信可能なハードウェアであり、状態通知データのヘッダ情報には当該ホーム機器９のＩＰアドレスが設定されているものとする。ホームゲートウェイ８は、状態通知データに対するＡＣＫ信号（応答信号）を、ホーム機器９に送信する（ａ）。
【００２５】
ホームゲートウェイ８は、状態通知データを受信すると、当該状態通知データに設定されたＩＰアドレスを検索キー（引数）としてマージテーブル７に検索要求を送信し（Ｂ）、マージテーブル７から当該ＩＰアドレスに対応するホーム機器個体識別情報およびホーム機器個体識別クラスを取得する（Ｃ）。
【００２６】
マージテーブル７には、宅内に設置された各ホーム機器９の、ＩＰアドレス、ホーム機器個体識別情報およびホーム機器個体識別クラスが、対応付けて記憶されている。ホーム機器個体識別情報は、ホーム機器９を識別するための情報であって、例えばＭＡＣアドレス、ＵＰｎＰのＵＵＩＤなどを用いることが考えられる。ホームゲートウェイ８は、ホーム機器９の起動時などにホーム機器個体識別情報を取得することができる。このホーム機器個体識別情報は、ホーム機器９を再起動した際に変化しない情報である。ホーム機器個体識別情報は、当該ホーム機器個体識別情報を取得する手段（プロトコル）と、その値の組で表される。
【００２７】
ホーム機器個体識別クラスは、ホーム機器個体識別情報をＨＮＷ運用サーバ６でどのように取り扱うかの観点に基づいたホーム機器９の分類を示すものである。具体的には、ホーム機器個体識別クラスとして、ＭＡＣアドレスまたはＵＰｎＰのＵＵＩＤが用いられる。
【００２８】
また、ホームゲートウェイ８は、ホーム機器９から受信した状態通知データに基づいて、ノーティファイ中継種別と、送信データとを生成する。ノーティファイ中継種別は、ホーム機器９がどのようなプロトコルでどのような情報を送信するかを表す識別情報であって、ホームゲートウェイ８は、状態通知データ（パケット）のヘッダ情報を解析することによりノーティファイ中継種別を生成する。
【００２９】
ノーティファイ中継種別の具体例としては、図３に記載され、例えば、「HTTPServer:POST:/eventing/posthere」の場合、ＨＴＴＰプロトコルでイベント発生の通知をＰＯＳＴ送信したことを示している。また、ホームゲートウェイ８は、状態通知データ（パケット）のデータ部に設定された情報を、送信データとして抽出する。
【００３０】
そして、ホームゲートウェイ８は、マージテーブル７から取得したホーム機器個体識別情報およびホーム機器個体識別クラスと、状態通知データから生成したノーティファイ中継種別および送信データとを含むノーティファイ中継データを、ＨＮＷ運用サーバ６に送信する（Ｄ）。ＨＮＷ運用サーバ６は、ノーティファイ中継データに対するＡＣＫ信号（応答信号）を、ホームゲートウェイ８に送信する（ｄ）。
【００３１】
ＨＮＷ運用サーバ６は、ノーティファイ中継データ受信し、当該ノーティファイ中継データに含まれるホーム機器個体識別情報およびホーム機器個体識別クラスを検索キー（引数）としてデータベース５に送信し（Ｅ）、データベース５の中継管理テーブルからホーム機器個体登録ＩＤおよびＡＣＬ（Access Control List）情報識別子を取得する（Ｆ）。
【００３２】
図２は、データベース５の中継管理テーブルの一例を示す図である。図示する中継管理テーブルは、ホーム機器個体登録ＩＤと、ホーム機器個体識別情報と、ホーム機器個体識別クラスと、ホームネットワーク（ホームゲートウェイ８）を識別するためのホームネットワークＩＤと、ＡＣＬ情報識別子とが対応付けて記憶されている。
【００３３】
ホーム機器個体登録ＩＤは、ホーム機器個体識別情報およびホーム機器個体識別クラスから特定されるホーム機器９に対して、ＨＮＷ運用サーバ６が払い出す（設定する）ユニークなＩＤである。
【００３４】
ＡＣＬ情報識別子は、アクセス先（通知先）のＨＳＰサーバのＨＳＰ登録ＩＤを、図３に示すデータベース５のＡＣＬ情報テーブルから取得するための情報であって、各ホーム機器９に設定されるユニークな識別子である。なお、図２に示す例では、ＡＣＬ情報識別子には、ホーム機器９の製品名および型番を用いている。このような中継管理テーブルにより、ホーム機器個体登録ＩＤが特定されると、当該ＩＤに対応するホーム機器９が設置されたホームネットワーク、ホーム機器９の製品種別などを特定することができる。
【００３５】
また、ＨＮＷ運用サーバ６は、データベース５の中継管理テーブルから取得したＡＣＬ情報識別子と、ホームゲートウェイ８から送信されたノーティファイ中継種別とを検索キー（引数）としてデータベース５に送信し（Ｅ）、データベース５のＡＣＬ情報テーブルから対応するＨＳＰ登録ＩＤを取得する（Ｆ）。
【００３６】
図３は、ＡＣＬ情報テーブルの一例を示す図である。図示するＡＣＬ情報テーブルは、ＡＣＬ情報識別子と、ノーティファイ中継種別と、ＨＳＰ登録ＩＤとが対応付けて記憶されている。ＨＳＰ登録ＩＤは、ＨＮＷ運用サーバ６を利用する汎用ＨＳＰサーバ３および一般ＨＳＰサーバ４を識別するために、ＨＮＷ運用サーバ６が払い出す（設定する）ユニークなＩＤである。図１に示す例では、３つの汎用ＨＳＰサーバ３のＨＳＰ登録ＩＤは、「ＨＳＰ−１」、「ＨＳＰ−２」および「ＨＳＰ−３」であり、一般ＨＳＰサーバ４のＨＳＰ登録ＩＤは、「ＨＳＰ−４」であるものとする。
【００３７】
具体的には、データベース５が図２および図３に示すテーブルを有する場合、ホーム機器個体登録ＩＤ「XX123456」のホーム機器９から送信された状態通知データのノーティファイ中継種別が「HTTPSer:POST:/eventing/posthere」の場合は、当該状態通データの送信データは、ＨＳＰ登録ＩＤが「ＨＳＰ−１」および「ＨＳＰ−３」の２つの汎用ＨＳＰサーバ３に送信される。
【００３８】
また、ホーム機器個体登録ＩＤ「AB234567」のホーム機器９から送信された状態通知データのノーティファイ中継種別データが「UpnP-Device:ACTION:EVENT2」の場合は、当該状態通知データの送信データは、ＨＳＰ登録ＩＤが「ＨＳＰ−４」の一般ＨＳＰサーバ４）に送信される。
【００３９】
そして、ＨＮＷ運用サーバ６は、ＡＣＬ情報テーブルから取得したＨＳＰ登録ＩＤのＨＳＰサーバ３、４にアクセスするための接続情報（サーバアドレス、認証情報等）を、データベース５から取得する。データベース５には、図示しないが、ＨＳＰ登録ＩＤと、当該ＨＳＰ登録ＩＤのＨＳＰサーバに接続するために必要となる接続情報とが対応付けて記憶されている。
【００４０】
ＨＮＷ運用サーバ６は、ＡＣＬ情報テーブルから取得したＨＳＰ登録ＩＤの汎用ＨＳＰサーバ３または一般ＨＳＰサーバ４に対して、接続情報を用いてセッションを張る。そして、ＨＮＷ運用サーバ６は、所定の汎用ＨＳＰサーバ３にセッションを張った場合、当該汎用ＨＳＰサーバ３に、中継管理テーブルから取得したホーム機器個体登録ＩＤと、ノーティファイ中継種別と、送信データとを送信する（Ｇ）。汎用ＨＳＰサーバ３は、ＡＣＫ信号（応答信号）をＨＮＷ運用サーバ６に送信する（ｇ）。
【００４１】
そして、汎用ＨＳＰサーバ３は、当該汎用ＨＳＰサーバ３が備えるデータベース３１に、ＨＮＷ運用サーバ６から受信したホーム機器個体登録ＩＤ、ノーティファイ中継種別および送信データと、受信日時とを蓄積する。
【００４２】
また、汎用ＨＳＰサーバ３は、データベース３１を参照して、受信したホーム機器個体登録ＩＤに対応する１つまたは複数の通知動作を特定する。データベース３１には、ホーム機器個体登録ＩＤ毎（または、ユーザ端末１毎）に、当該ＩＤのホーム機器９を使用するユーザのユーザ端末１に通知する動作が、少なくとも１つ記憶されている。なお、受信したノーティファイ中継種別を用いて、通知する動作を決定することとしてもよい。
【００４３】
ユーザ端末１への通知動作としては、具体的には、以下のものが考えられる。
【００４４】
・ユーザ端末への電子メールの送信
・Ｗｅｂページでの表示
・ＳＩＰサーバ（不図示）にＳＩＰメッセージを送信し、ユーザ端末と汎用ＨＳＰサーバ３と間の通信路を確立
・ユーザ端末が携帯電話の場合、ショートメッセージの送信
・ユーザ端末が電話の場合、送信データのテキストの読み上げ（音声通知）
・ユーザ端末がＦＡＸ端末の場合、送信データのＦＡＸ送信  等
そして、汎用ＨＳＰサーバ３は、特定した通知動作でユーザ端末１に、当該ホーム機器個体登録ＩＤのホーム機器９に、状態変化があったこと（イベントが発生したこと）、または、送信データ（イベントの内容等）を通知する（Ｈ）。例えば、汎用ＨＳＰサーバ３が特定した動作がメール送信の場合、汎用ＨＳＰサーバ３は、データベース３１から当該ホーム機器個体登録ＩＤに対応するユーザ端末１のメールアドレスを取得し、取得したメールアドレスを宛先として、ホーム機器９に状態変化があったこと、送信データ、Ｗｅｂページ（一元管理ページ）のＵＲＬなどをメールで送信する。
【００４５】
また、汎用ＨＳＰサーバ３が特定した動作がＷｅｂページでの表示の場合、汎用ＨＳＰサーバ３は、Ｗｅｂサーバの機能を有し、データベース３１に蓄積された情報（ホーム機器個体登録ＩＤ、ノーティファイ中継種別、送信データ、受信日時等）に基づいて、ホーム機器毎（または、ユーザ毎）にホーム機器９で発生した状態変化および送信データなどが設定されたＷｅｂページ（一元管理ページ）を生成する。ユーザ端末１は、メールで通知されたＵＲＬにアクセスする、または汎用ＨＳＰサーバ３が提供するログイン画面にユーザＩＤを入力することにより、当該ユーザ専用のＷｅｂページ（一元管理ページ）を汎用ＨＳＰサーバ３に要求し（Ｉ）、汎用ＨＳＰサーバ３は要求されたＷｅｂページ（一元管理ページ）を送信する。
【００４６】
一方、ＨＮＷ運用サーバ６が一般ＨＳＰサーバ４にセッションを張った場合、当該一般ＨＳＰサーバ４に、ホーム機器個体登録ＩＤと、ノーティファイ中継種別と、送信データとを送信する（Ｊ）。一般ＨＳＰサーバ４は、ＡＣＫ信号（応答信号）をＨＮＷ運用サーバ６に送信する（ｇ）。一般ＨＳＰサーバ４は、当該一般ＨＳＰサーバ４を運用するサービス提供事業者独自のプロトコルを用いて、送信データなどをユーザ端末２に送信し（Ｋ）、ユーザ端末２は、それに対するＡＣＫ信号（応答信号）などを一般ＨＳＰサーバ４に送信する（ｋ）。
【００４７】
図４は、上記図１を用いて説明した本実施形態の処理のフローチャートである。
【００４８】
ホーム機器９に状態変化・イベントが発生すると（Ｓ１）、ホーム機器９は、ホームゲートウェイ８に状態変化を通知する状態通知データを送信する（Ｓ２）。
【００４９】
ホームゲートウェイ８は、マージテーブル７を参照し、状態通知データに設定されたホーム機器９のＩＰアドレスに対応するホーム機器個体識別情報およびホーム機器個体識別クラスを取得する（Ｓ３）。
【００５０】
また、ホームゲートウェイ８は、状態通知データから生成したノーティファイ中継種別および送信データと、ホーム機器個体識別情報およびホーム機器個体識別クラスと、を含むノーティファイ中継データをＨＮＷ運用サーバ６に送信する（Ｓ４）。
【００５１】
ＨＮＷ運用サーバ６は、ノーティファイ中継データを受信し、内容を解析する（Ｓ５）。そして、ＨＮＷ運用サーバ６は、データベース５にアクセスし、ホーム機器個体識別情報、ホーム機器個体識別クラスおよびノーティファイ中継種別を検索キー（引数）として、ホーム機器９のホーム機器個体登録ＩＤと、転送するＨＳＰサーバ３、４のＨＳＰ登録ＩＤとを取得する（Ｓ６）。
【００５２】
そして、ＨＮＷ運用サーバ６は、取得したＨＳＰ登録ＩＤのＨＳＰサーバ３、４に、ノーティファイ中継種別、送信データおよびホーム機器個体登録ＩＤを送信する（Ｓ７）。ＨＳＰサーバ３、４は、ノーティファイ中継種別、送信データおよびホーム機器個体登録ＩＤを受信する（Ｓ８）。
【００５３】
汎用ＨＳＰサーバ３が上記情報を受信した場合、汎用ＨＳＰサーバ３は、ＨＮＷ運用サーバ６から受信した情報および受信日時をデータベース３１に蓄積する。また、汎用ＨＳＰサーバ３は、データベース３１を参照して、受信したホーム機器個体登録ＩＤに対応する１つまたは複数の通知動作を特定する。ここでは、通知動作として、Ｗｅｂページでの表示とメール送信とを行うものとする。
【００５４】
すなわち、汎用ＨＳＰサーバ３は、データベース３１に蓄積された情報に基づいて、前述の一元管理ページ（Ｗｅｂページ）を生成し、ユーザ端末１からの要求に応じて当該一元管理ページをユーザ端末１に送信する（Ｓ９）。また、汎用ＨＳＰサーバ３は、メール通知有りであるため（Ｓ１０：あり）、ユーザ端末１に、ホーム機器９に状態変化があったこと、送信データ、一元管理ページのＵＲＬなどをメールで通知する。
【００５５】
以上説明した本実施形態では、ホーム機器９から送信された状態通知データに基づいてノーティファイ中継種別を生成し、当該ノーティファイ中継種別およびホーム機器の識別情報（ホーム機器個体識別情報およびホーム機器個体識別クラス）とに基づいて、送信データを転送するＨＳＰサーバ３、４を特定する。そして、特定したＨＳＰサーバが汎用ＨＳＰサーバ３の場合、当該汎用ＨＳＰサーバ３は、所望の通知方法で、ホーム機器９にイベントが発生したこと、送信データなどをユーザ端末２に通知する。
【００５６】
これにより、本実施形態では、ホーム機器９毎に複雑な通信設定を行うことなく、ホーム機器をネットワークに繋ぐだけで、ホーム機器で発生したイベントを所望の方法でユーザ端末に通知することができる。すなわち、ネットワークに関する専門知識がない一般ユーザであっても、ホームネットワークサービスを容易に利用することができ、ユーザの利便性を向上することができる。
【００５７】
また、本実施形態では、汎用ＨＳＰサーバ３がユーザ端末１にメールを送信するため、ホーム機器９がメール送信機能を有しない場合であっても、ユーザ端末１にメールを送信することができ、ユーザはホーム機器９にイベントが発生したことメールで知ることができる。また、ホーム機器９がメール送信機能を有する場合であっても、ホーム機器９毎にメールアドレスを設定する必要がない。
【００５８】
また、本実施形態では、汎用ＨＳＰサーバ３は、ＨＮＷ運用サーバ６を運用している事業者が構築するＨＳＰサーバであり、ホームゲートウェイ８、ＨＮＷ運用サーバ６および汎用ＨＳＰサーバ３の間をＶＰＮ（Virtual Private Network）などのセキュアなネットワークを介して接続することにより、ホーム機器９のデータを安全に送受信することができる。これにより、データの盗聴、改ざん、ホーム機器９に対するＤｏＳ攻撃を防止し、より高いセキュリティを確保することができる。
【００５９】
なお、本発明は上記実施形態に限定されるものではなく、その要旨の範囲内で数々の変形が可能である。例えば、ホーム機器９が状態通知データを送信した送信時刻に応じて、汎用ＨＳＰサーバ３は、イベントが発生したことを通知する宛先のユーザ端末１を変更するようにしてもよい。
【符号の説明】
【００６０】
１、２  ユーザ端末
３    汎用ＨＳＰサーバ
３１  データベース
４    一般ＨＳＰサーバ
５    データベース
６    ＨＮＷ運用サーバ
７    マージテーブル
８    ホームゲートウェイ
９    ホーム機器
【図１】
2010288154.tif 000003
【図２】
2010288154.tif 000004
【図３】
2010288154.tif 000005
【図４】
2010288154.tif 000006